(57)【特許請求の範囲】
【請求項１】
ハイダイナミックレンジビデオデータに通常ダイナミックレンジの光電変換特性との互換領域を含むハイダイナミックレンジ光電変換特性を適用して伝送ビデオデータを得る光電変換部と、
上記伝送ビデオデータにエンコード処理を施してビデオストリームを得るエンコード部と、
上記ビデオストリームを含む所定フォーマットのコンテナを送信する送信部と、
上記ビデオストリームのレイヤに上記通常ダイナミックレンジ光電変換特性を示すメタ情報を挿入すると共に、少なくとも上記ビデオストリームのレイヤまたは上記コンテナのレイヤに上記ハイダイナミックレンジ光電変換特性を示すメタ情報を挿入する情報挿入部を備える
送信装置。
【請求項２】
上記情報挿入部は、
上記ハイダイナミックレンジ光電変換特性を示すメタ情報と共に、表示制御のためのメタ情報を挿入する
請求項１に記載の送信装置。
【請求項３】
上記表示制御のためのメタ情報は、ピーク輝度情報を含む
請求項２に記載の送信装置。
【請求項４】
上記表示制御のためのメタ情報は、輝度変換を許容する領域を示す領域情報を含む
請求項２に記載の送信装置。
【請求項５】
上記情報挿入部は、
上記ハイダイナミックレンジ光電変換特性を示すメタ情報を上記ビデオストリームのレイヤに挿入する場合、
上記通常ダイナミックレンジ光電変換特性を示すメタ情報を上記ビデオストリーム内の第１の領域に挿入し、上記ハイダイナミックレンジ光電変換特性を示すメタ情報を上記ビデオストリーム内の上記第１の領域とは異なる第２の領域に挿入する
請求項１に記載の送信装置。
【請求項６】
上記第１の領域はＳＰＳ  ＮＡＬユニットの領域であり、上記第２の領域はＳＥＩ  ＮＡＬユニットの領域である
請求項５に記載の送信装置。
【請求項７】
上記コンテナは、トランスポートストリームであり、
上記情報挿入部は、
上記コンテナのレイヤに上記ハイダイナミックレンジ光電変換特性を示すメタ情報を挿入する場合、該メタ情報をプログラム・マップ・テーブルの配下に挿入する
請求項１に記載の送信装置。
【請求項８】
上記コンテナは、トランスポートストリームであり、
上記情報挿入部は、
上記コンテナのレイヤに上記ハイダイナミックレンジ光電変換特性を示すメタ情報を挿入する場合、該メタ情報をイベント・インフォメーション・テーブルの配下に挿入する
請求項１に記載の送信装置。
【請求項９】
ハイダイナミックレンジビデオデータに通常ダイナミックレンジ光電変換特性との互換領域を含むハイダイナミックレンジ光電変換特性を適用して伝送ビデオデータを得る光電変換ステップと、
上記伝送ビデオデータにエンコード処理を施してビデオストリームを得るエンコードステップと、
送信部により、上記ビデオストリームを含む所定フォーマットのコンテナを送信する送信ステップと、
上記ビデオストリームのレイヤに、上記通常ダイナミックレンジ光電変換特性を示すメタ情報を挿入すると共に、少なくとも上記ビデオストリームのレイヤまたは上記コンテナのレイヤに上記ハイダイナミックレンジ光電変換特性を示すメタ情報を挿入する情報挿入ステップを有する
送信方法。
【請求項１０】
伝送ビデオデータが符号化されて得られたビデオストリームを含むコンテナを受信する受信部と、
上記ビデオストリームにデコード処理を施して上記伝送ビデオデータを得るデコード部と、
上記伝送ビデオデータに電光変換を行って表示用ビデオデータを得る電光変換部を備え、
上記電光変換部は、
上記ビデオストリームのレイヤに通常ダイナミックレンジ光電変換特性を示すメタ情報が挿入されていると共に、少なくとも上記ビデオストリームのレイヤまたは上記コンテナのレイヤに上記通常ダイナミックレンジ光電変換特性との互換領域を含むハイダイナミックレンジ光電変換特性を示すメタ情報が挿入されているとき、上記伝送ビデオデータに、上記ハイダイナミックレンジ光電変換特性を示すメタ情報に基づいて、該ハイダイナミックレンジ光電変換特性とは逆特性のハイダイナミックレンジ電光変換を行って上記表示用ビデオデータを得る
受信装置。
【請求項１１】
上記表示用ビデオデータに表示輝度調整を行う輝度調整部をさらに備え、
上記輝度調整部は、
上記ハイダイナミックレンジ光電変換特性を示すメタ情報と共に、表示制御のためのメタ情報が挿入されているとき、上記表示用ビデオデータに、該表示制御のためのメタ情報に基づいて表示輝度調整を行う
請求項１０に記載の受信装置。
【請求項１２】
上記表示制御のためのメタ情報は輝度変換を許容する領域を示す領域情報を含み、
上記輝度調整部は、
上記輝度変換を許容する領域で上記表示輝度調整を行う
請求項１１に記載の受信装置。
【請求項１３】
受信部により、伝送ビデオデータが符号化されて得られたビデオストリームを含むコンテナを受信する受信ステップと、
上記ビデオストリームにデコード処理を施して上記伝送ビデオデータを得るデコードステップと、
上記伝送ビデオデータに電光変換を行って表示用ビデオデータを得る電光変換ステップを有し、
上記電光変換ステップでは、
上記ビデオストリームのレイヤに通常ダイナミックレンジ光電変換特性を示すメタ情報が挿入されていると共に、少なくとも上記ビデオストリームのレイヤまたは上記コンテナのレイヤに上記通常ダイナミックレンジ光電変換特性との互換領域を含むハイダイナミックレンジ光電変換特性を示すメタ情報が挿入されているとき、上記伝送ビデオデータに、上記ハイダイナミックレンジ光電変換特性を示すメタ情報に基づいて、該ハイダイナミックレンジ光電変換特性とは逆特性のハイダイナミックレンジ電光変換を行って上記表示用ビデオデータを得る
受信方法。
【発明の詳細な説明】
【技術分野】
【０００１】
本技術は、送信装置、送信方法、受信装置および受信方法に関し、詳しくは、ハイダイナミックレンジビデオデータにハイダイナミックレンジ光電変換を適用して得られた伝送ビデオデータを送信する送信装置等に関する。
【背景技術】
【０００２】
従来、ハイダイナミックレンジビデオデータにハイダイナミックレンジ光電変換を適用して得られた伝送ビデオデータを送信することが考えられている。以下、ハイダイナミックレンジを、適宜、「ＨＤＲ」と表記する。例えば、非特許文献１には、従来受信機による受信を考慮した、従来の光電変換特性（ガンマ特性）との互換領域を含むＨＤＲ光電変換特性（新ガンマ特性）についての記載がある。
【先行技術文献】
【非特許文献】
【０００３】
【非特許文献１】Tim Borer, “Non-Linear Opto-Electrical Transfer Functions for High Dynamic Range Television”, Research & Development White Paper WHP 283, July 2014
【発明の概要】
【発明が解決しようとする課題】
【０００４】
例えば、上述の従来の光電変換特性との互換領域を含むＨＤＲ光電変換特性を用いて得られた伝送ビデオデータを送信する場合、従来受信機が光電変換特性は従来と同様と判断でき、かつＨＤＲ対応受信機が光電変換特性はＨＤＲ光電変換特性と判断できることが必要となる。【０００５】
本技術の目的は、ＨＤＲ光電変換特性を用いて得られた伝送ビデオデータに対する電光変換の処理を従来の受信機およびＨＤＲ対応受信機の双方で良好に行い得るようにすることにある。
【課題を解決するための手段】
【０００６】
本技術の概念は、
ハイダイナミックレンジビデオデータにハイダイナミックレンジ光電変換を行って伝送ビデオデータを得る光電変換部と、
上記伝送ビデオデータにエンコード処理を施してビデオストリームを得るエンコード部と、
上記ビデオストリームを含む所定フォーマットのコンテナを送信する送信部と、
上記ビデオストリームのレイヤに、通常ダイナミックレンジ光電変換の特性を示すメタ情報を挿入すると共に、少なくとも上記ビデオストリームのレイヤまたは上記コンテナのレイヤに上記ハイダイナミックレンジ光電変換の特性を示すメタ情報を挿入する情報挿入部を備える
送信装置にある。【０００７】
本技術において、光電変換部により、ハイダイナミックレンジビデオデータにハイダイナミックレンジ光電変換が行われて伝送ビデオデータが得られる。この場合、例えば、従来の光電変換特性（ガンマ特性）との互換領域を含むハイダイナミックレンジ光電変換特性(新ガンマ特性)が用いられる、ようにされてもよい。【０００８】
エンコード部により、伝送ビデオデータにエンコード処理が施されてビデオストリームが得られる。送信部により、このビデオストリームを含む所定フォーマットのコンテナが送信される。例えば、コンテナは、デジタル放送規格で採用されているトランスポートストリーム（ＭＰＥＧ−２  ＴＳ）であってもよい。また、例えば、コンテナは、インターネットの配信などで用いられるＭＰ４、あるいはそれ以外のフォーマットのコンテナであってもよい。【０００９】
情報挿入部により、ビデオストリームのレイヤに通常ダイナミックレンジ光電変換の特性を示すメタ情報が挿入されると共に、少なくともビデオストリームのレイヤまたはコンテナのレイヤにハイダイナミックレンジ光電変換の特性を示すメタ情報が挿入される。【００１０】
例えば、情報挿入部は、ハイダイナミックレンジ光電変換の特性を示すメタ情報をビデオストリームのレイヤに挿入する場合、通常ダイナミックレンジ光電変換の特性を示すメタ情報をビデオストリーム内の第１の領域に挿入し、ハイダイナミックレンジ光電変換の特性を示すメタ情報をビデオストリーム内の第１の領域とは別の第２の領域に挿入する、ようにされてもよい。この場合、例えば、第１の領域はＳＰＳ  ＮＡＬユニットの領域であり、第２の領域はＳＥＩ  ＮＡＬユニットの領域である、ようにされてもよい。【００１１】
また、例えば、コンテナは、トランスポートストリームであり、情報挿入部は、コンテナのレイヤにハイダイナミックレンジ光電変換の特性を示すメタ情報を挿入する場合、このメタ情報をプログラム・マップ・テーブルの配下に挿入する、ようにされてもよい。また、例えば、コンテナは、トランスポートストリームであり、情報挿入部は、コンテナのレイヤにハイダイナミックレンジ光電変換の特性を示すメタ情報を挿入する場合、このメタ情報をイベント・インフォメーション・テーブルの配下に挿入する、ようにされてもよい。【００１２】
このように本技術においては、ビデオストリームのレイヤに通常ダイナミックレンジ光電変換の特性を示すメタ情報が挿入されると共に、少なくともビデオストリームのレイヤまたはコンテナのレイヤにハイダイナミックレンジ光電変換の特性を示すメタ情報が挿入されるものである。【００１３】
そのため、ＨＤＲ光電変換特性を用いて得られた伝送ビデオデータに対する電光変換の処理を従来の受信機およびＨＤＲ対応受信機の双方で良好に行い得るようになる。すなわち、従来受信機は通常ダイナミックレンジ光電変換の特性を示すメタ情報に基づいて光電変換特性は従来と同様と判断できる。また、ＨＤＲ対応受信機はハイダイナミックレンジ光電変換の特性を示すメタ情報に基づいて光電変換特性はＨＤＲ光電変換特性と判断できる。【００１４】
また、本技術において、例えば、情報挿入部は、ハイダイナミックレンジ光電変換の特性を示すメタ情報と共に、表示制御のためのメタ情報を挿入する、ようにされてもよい。この場合、例えば、表示制御のためのメタ情報は、ピーク輝度情報を含む、ようにされてもよい。また、例えば、表示制御のためのメタ情報は、輝度変換を許容する領域を示す領域情報を含む、ようにされてもよい。この場合、ＨＤＲ対応受信機において、この表示制御のためのメタ情報を用いて表示輝度制御を適切に行い得るようになる。【００１５】
また、本技術の他の概念は、
伝送ビデオデータが符号化されて得られたビデオストリームを含むコンテナを受信する受信部と、
上記ビデオストリームにデコード処理を施して上記伝送ビデオデータを得るデコード部と、
上記伝送ビデオデータに電光変換を行って表示用ビデオデータを得る電光変換部を備え、
上記電光変換部は、
上記ビデオストリームのレイヤに通常ダイナミックレンジ光電変換の特性を示すメタ情報が挿入されていると共に、少なくとも上記ビデオストリームのレイヤまたは上記コンテナのレイヤに上記ハイダイナミックレンジ光電変換の特性を示すメタ情報が挿入されているとき、上記伝送ビデオデータに、上記記ハイダイナミックレンジ光電変換の特性を示すメタ情報に基づいて、該ハイダイナミックレンジ光電変換の特性とは逆特性のハイダイナミックレンジ電光変換を行って上記表示用ビデオデータを得る
受信装置にある。【００１６】
本技術において、受信部により、伝送ビデオデータが符号化されて得られたビデオストリームを含むコンテナが受信される。デコード部により、ビデオストリームにデコード処理が施されて伝送ビデオデータが得られる。そして、電光変換部により、伝送ビデオデータに電光変換が行われて表示用ビデオデータが得られる。【００１７】
電光変換部では、ビデオストリームのレイヤに通常ダイナミックレンジ光電変換の特性を示すメタ情報が挿入されていると共に、少なくともビデオストリームのレイヤまたはコンテナのレイヤにメタ情報が挿入されているとき、伝送ビデオデータに、このハイダイナミックレンジ光電変換の特性を示すメタ情報に基づいて、このハイダイナミックレンジ光電変換の特性とは逆特性のハイダイナミックレンジ電光変換が行われて表示用ビデオデータが得られる。【００１８】
このように本技術においては、ハイダイナミックレンジ光電変換特性を用いて得られた伝送ビデオデータに対してハイダイナミックレンジ電光変換を適切に行って、表示用ビデオデータとして良好なハイダイナミックレンジビデオデータを得ることが可能となる。【００１９】
なお、本技術において、例えば、表示用ビデオデータに表示輝度調整を行う輝度調整部をさらに備え、輝度調整部は、ハイダイナミックレンジ光電変換の特性を示すメタ情報と共に、表示制御のためのメタ情報が挿入されているとき、表示用ビデオデータに、この表示制御のためのメタ情報に基づいて表示輝度調整を行う、ようにされてもよい。この場合、例えば、表示制御のためのメタ情報は輝度変換を許容する領域を示す領域情報を含み、記輝度調整部は、輝度変換を許容する領域で表示輝度調整を行う、ようにされてもよい。この場合、表示輝度調整を適切に行い得る。
【発明の効果】
【００２０】
本技術によれば、ＨＤＲ光電変換特性を用いて得られた伝送ビデオデータに対する電光変換の処理を従来の受信機およびＨＤＲ対応受信機の双方で良好に行い得る。なお、本明細書に記載された効果はあくまで例示であって限定されるものではなく、また付加的な効果があってもよい。
【図面の簡単な説明】
【００２１】
【図１】実施の形態としての送受信システムの構成例を示すブロック図である。
【図２】送受信システムを構成する送信装置の構成例を示すブロック図である。
【図３】ＨＤＲ光電変換の特性を説明するための図である。
【図４】符号化方式がＨＥＶＣである場合におけるＧＯＰの先頭のアクセスユニットを示す図である。
【図５】符号化方式がＨＥＶＣである場合におけるＧＯＰの先頭以外のアクセスユニットを示す図である。
【図６】ダイナミックレンジ・ＳＥＩメッセージの構造例を示す図である。
【図７】ダイナミックレンジ・ＳＥＩメッセージの構造例における主要な情報の内容を示す図である。
【図８】ビデオ・ダイナミックレンジ・デスクリプタの構造例を示す図である。
【図９】トランスポートストリームＴＳの構成例を示す図である。
【図１０】送受信システムを構成するＨＤＲ非対応の従来の受信装置の構成例を示すブロック図である。
【図１１】送受信システムを構成するＨＤＲ対応の受信装置の構成例を示すブロック図である。
【図１２】ＳＤＲ電光変換の特性、ＳＤＲ表示マッピング処理、ＨＤＲ電光変換の特性、ＨＤＲ表示マッピング処理などを説明するための図である。
【図１３】送受信システムの他の構成例を示すブロック図である。
【図１４】ＳＤＲ対応の場合におけるセットトップボックスからモニタに送る“Vender Specific InfoFrame”のパケットの第７バイト以降の構造例を示す図である。
【図１５】ＨＤＲ対応の場合におけるセットトップボックスからモニタに送る“Vender Specific InfoFrame”のパケットの第７バイト以降の構造例を示す図である。
【図１６】“Vender Specific InfoFrame”のパケットの各構造例における主要な情報の内容を示す図である。
【発明を実施するための形態】
【００２２】
以下、発明を実施するための形態（以下、「実施の形態」とする）について説明する。なお、説明を以下の順序で行う。
１．実施の形態
２．変形例
【００２３】
＜１．実施の形態＞
［送受信システムの構成例］
図１は、実施の形態としての送受信システム１０の構成例を示している。この送受信システム１０は、送信装置１００および受信装置２００，３００により構成されている。受信装置２００は、従来の通常ダイナミックレンジ（ＳＤＲ：Standard Dynamic Range）に対応し、ハイダイナミックレンジ（ＨＤＲ：High Dynamic Range）に対応していない受信装置である。受信装置３００は、ＨＤＲ対応の受信装置である。
【００２４】
送信装置１００は、コンテナとしてのＭＰＥＧ２のトランスポートストリームＴＳを生成し、このトランスポートストリームＴＳを放送波あるいはネットのパケットに載せて送信する。このトランスポートストリームＴＳには、ＨＤＲビデオデータにＨＤＲ光電変換を行って得られた伝送ビデオデータにエンコード処理を施して得られたビデオストリームが含まれる。
【００２５】
ビデオストリームのレイヤに、ＳＤＲ光電変換の特性（ガンマ特性）を示すメタ情報が挿入される。また、少なくともビデオストリームのレイヤまたはコンテナのレイヤに、ＨＤＲ光電変換の特性（新ガンマ特性）を示すメタ情報が挿入される。また、この実施の形態においては、このＨＤＲ光電変換の特性を示すメタ情報と共に、表示制御のためのメタ情報が挿入される。この表示制御のためのメタ情報には、ピーク輝度情報や輝度変換を許容する領域を示す領域情報などが含まれる。
【００２６】
受信装置２００は、受信コンテナに含まれているビデオストリームにデコード処理を施して伝送ビデオデータを得る。受信装置２００は、ビデオストリームに挿入されているＳＤＲ光電変換の特性を示すメタ情報に基づいて、光電変換特性は従来と同様と判断できる。受信装置２００は、伝送ビデオデータに、当該ＳＤＲ光電変換の特性とは逆特性のＳＤＲ電光変換を行って表示用ビデオデータを得る。また、受信装置２００は、ピーク輝度（１００ｃｄ/ｍ２）、モニタの表示最大輝度などに基づいて、表示用ビデオデータに、表示マッピング処理、つまり表示輝度調整をする。
【００２７】
受信装置３００は、受信コンテナに含まれているビデオストリームにデコード処理を施して伝送ビデオデータを得る。受信装置３００は、少なくともビデオストリームのレイヤまたはコンテナのレイヤに挿入されているＨＤＲ光電変換の特性を示すメタ情報に基づいて、光電変換特性はＨＤＲ光電変換特性と判断できる。受信装置３００は、伝送ビデオデータに、当該ＨＤＲ光電変換の特性とは逆特性のＨＤＲ電光変換を行って表示用ビデオデータを得る。また、受信装置３００は、ＨＤＲ光電変換の特性を示すメタ情報と共に挿入されている表示制御のためのメタ情報に基づいて、表示用ビデオデータに、表示マッピング処理、つまり表示輝度調整をする。
【００２８】
「送信装置の構成例」
図２は、送信装置１００の構成例を示している。この送信装置１００は、制御部１０１と、ＨＤＲカメラ１０２と、ＨＤＲ光電変換部１０３と、ビデオエンコーダ１０４と、システムエンコーダ１０５と、送信部１０６を有している。制御部１０１は、ＣＰＵ（Central Processing Unit）を備えて構成され、制御プログラムに基づいて、送信装置１００の各部の動作を制御する。
【００２９】
ＨＤＲカメラ１０２は、被写体を撮像して、ＨＤＲ（High Dynamic Range）ビデオデータを出力する。このＨＤＲビデオデータは、従来のＳＤＲ画像の白ピークの明るさを超える０〜１００％＊Ｎ（Ｎは１より大きい数）、例えば０〜１０００％などのコントラスト比を持つ。ここで、１００％のレベルは、例えば、白の輝度値１００ｃｄ/ｍ２に相当する。
【００３０】
マスターモニタ１０３ａは、ＨＤＲカメラ１０２で得られるＨＤＲビデオデータをグレーディングするためのモニタである。このマスターモニタ１０３ａは、ＨＤＲビデオデータに対応した、あるいは、ＨＤＲビデオデータをグレーディングするのに適した表示輝度レベルを持っている。
【００３１】
ＨＤＲ光電変換部１０３は、ＨＤＲカメラ１０２で得られるＨＤＲビデオデータに対して、ＨＤＲ光電変換特性を適用して、伝送ビデオデータＶ１を得る。図３の実線ａは、ＨＤＲ光電変換特性を示すＨＤＲ ＯＥＴＦカーブである。また、図３の破線ｂは、ＳＤＲ光電変換特性を示すＳＤＲ ＯＥＴＦカーブである。この図において、横軸は入力輝度レベルを示し、縦軸は伝送符号値を示す。
【００３２】
ＨＤＲ光電変換特性は、ＳＤＲ光電変換特性との互換領域を含んでいる。すなわち、入力輝度レベルが両特性の互換限界値までは、両特性の曲線は一致している。入力輝度レベルが互換限界値であるとき、伝送符号値は互換レベルＳＰとなる。ＨＤＲ光電変換特性において、入力輝度レベルがピーク輝度ＰＬであるとき、伝送符号値はピークレベルＭＰとなる。
【００３３】
ＨＤＲ表示基準閾値ＣＬは、受信機側のモニタ（ＣＥモニタ）で表示する輝度として一致させる領域と、ＣＥモニタ依存とする領域との境界を示す。入力輝度レベルが互換限界値ＣＬであるとき、伝送符号値は閾値レベルＣＰとなる。なお、ＳＤＲ光電変換特性において、入力輝度レベルがＳＤＲ特性表現限界輝度ＳＬであるとき、伝送符号値はピークレベルＭＰとなる。ここで、ＳＬは１００ｃｄ/ｍ２である。
【００３４】
図２に戻って、ビデオエンコーダ１０４は、伝送ビデオデータＶ１に対して、例えば、ＭＰＥＧ４−ＡＶＣあるいはＨＥＶＣなどの符号化を施して、符号化ビデオデータを得る。また、このビデオエンコーダ１０４は、後段に備えるストリームフォーマッタ（図示せず）により、この符号化ビデオデータを含むビデオストリーム（ビデオエレメンタリストリーム）を生成する。
【００３５】
この際、ビデオエンコーダ１０４は、ビデオストリームのレイヤに、ＳＤＲ光電変換の特性を示すメタ情報を挿入する。すなわち、ビデオエンコーダ１０４は、アクセスユニット（ＡＵ）のＳＰＳ ＮＡＬユニットのＶＵＩ（video usability information）の領域に、メタ情報「Transfer characteristics 1」を挿入する。
【００３６】
また、ビデオエンコーダ１０４は、ビデオストリームのレイヤに、ＨＤＲ光電変換の特性を示すメタ情報および表示制御のためのメタ情報を挿入する。すなわち、ビデオエンコーダ１０４は、アクセスユニット（ＡＵ）の“ＳＥＩｓ”の部分に、新規定義する、ダイナミックレンジ・ＳＥＩメッセージ（Dynamic Range SEI message）を挿入する。
【００３７】
図４は、符号化方式がＨＥＶＣである場合におけるＧＯＰ（Group Of Pictures）の先頭のアクセスユニットを示している。また、図５は、符号化方式がＨＥＶＣである場合におけるＧＯＰの先頭以外のアクセスユニットを示している。ＨＥＶＣの符号化方式の場合、画素データが符号化されているスライス（slices）の前にデコード用のＳＥＩメッセージ群「Prefix_SEIs」が配置され、このスライス（slices）の後に表示用のＳＥＩメッセージ群「Suffix_SEIs」が配置される。図４、図５に示すように、ダイナミックレンジ・ＳＥＩメッセージは、ＳＥＩメッセージ群「Suffix_SEIs」として配置される。
【００３８】
図６は、ダイナミックレンジ・ＳＥＩメッセージの構造例(Syntax)を示している。図７は、その構造例における主要な情報の内容（Semantics）を示している。「transfer_characteristics2」の８ビットフィールドは、ＨＤＲ光電変換の特性を指定する。「number_of_bits」の８ビットフィールドは、符号化画素ビット数を示す。
【００３９】
「minimum_brightness_value」の１６ビットフィールドは、最小レベルの輝度（ｃｄ/ｍ２）を示す。「peak_level」の１６ビットフィールドは、最大レベルの相対値（％）を示す。「peak_level_brightness」の１６ビットフィールドは、最大レベルの輝度（ｃｄ/ｍ２）を示し、図３におけるピーク輝度ＰＬに対応する。
【００４０】
「compliant_threshold_level」の１６ビットフィールドは、表示レベルマッピングの際の閾値（％）を示す。「compliant_threshold_level_value」の１６ビットフィールドは、表示レベルマッピングの際の閾値となる輝度（ｃｄ/ｍ２）を示し、図３におけるＨＤＲ表示基準閾値ＣＬに対応する。
【００４１】
図２に戻って、システムエンコーダ１０５は、ビデオエンコーダ１０４で生成されたビデオストリームＶＳを含むトランスポートストリームＴＳを生成する。そして、送信部１０６は、このトランスポートストリームＴＳを、放送波あるいはネットのパケットに載せて、受信装置２００，３００に送信する。
【００４２】
図２に示す送信装置１００の動作を簡単に説明する。ＨＤＲカメラ１０２で撮像されて得られたＨＤＲビデオデータは、ＨＤＲ光電変換部１０３に供給される。ＨＤＲカメラ１０２で得られるＨＤＲビデオデータは、マスターモニタ１０３ａを用いてグレーディングされる。このＨＤＲ光電変換部１０３では、このＨＤＲビデオデータに対してＨＤＲ光電変換特性（ＨＤＲ ＯＥＴＦカーブ）が適用されて光電変換が行われ、伝送ビデオデータＶ１が得られる。この伝送ビデオデータＶ１は、ビデオエンコーダ１０４に供給される。
【００４３】
ビデオエンコーダ１０４では、伝送ビデオデータＶ１に対して、例えば、ＭＰＥＧ４−ＡＶＣあるいはＨＥＶＣなどの符号化が施されて、符号化ビデオデータが得られる。また、このビデオエンコーダ１０４では、後段に備えるストリームフォーマッタにより、この符号化ビデオデータを含むビデオストリームが生成される。
【００４４】
この際、ビデオエンコーダ１０４では、ビデオストリームのレイヤに、ＳＤＲ光電変換の特性を示すメタ情報が挿入される。すなわち、ビデオエンコーダ１０４では、アクセスユニット（ＡＵ）のＳＰＳ ＮＡＬユニットのＶＵＩの領域に、メタ情報「Transfer characteristics 1」が挿入される。
【００４５】
また、ビデオエンコーダ１０４では、ビデオストリームのレイヤに、ＨＤＲ光電変換の特性を示すメタ情報および表示制御のためのメタ情報が挿入される。すなわち、ビデオエンコーダ１０４では、アクセスユニット（ＡＵ）の“ＳＥＩｓ”の部分に、新規定義する、ダイナミックレンジ・ＳＥＩメッセージが挿入される。
【００４６】
ビデオエンコーダ１０４で生成されたビデオストリームＶＳは、システムエンコーダ１０５に供給される。このシステムエンコーダ１０５では、ビデオストリームを含むＭＰＥＧ２のトランスポートストリームＴＳが生成される。このトランスポートストリームＴＳは、送信部１０６により、放送波あるいはネットのパケットに載せて、受信装置２００，３００に送信される。
【００４７】
なお、上述では、ビデオストリームのレイヤに、ＨＤＲ光電変換の特性を示すメタ情報および表示制御のためのメタ情報が挿入される例を示した。ダイナミックレンジ・ＳＥＩメッセージは最も頻繁にはピクチャ毎に送ることができるので、メタ情報をピクチャ毎に変更することも可能となる。あるいは、ダイナミックレンジ・ＳＥＩメッセージを例えばシーンに１回とか、あるいはもっと粗い単位で送ることもできる。あるいは、ダイナミックレンジ・ＳＥＩメッセージをピクチャ毎に送っても、メタ情報の値が変わらなければスタティックな運用も可能となる。
【００４８】
ビデオストリームのレイヤの代わりに、あるいはビデオストリームのレイヤと共に、コンテナのレイヤに、ＨＤＲ光電変換の特性を示すメタ情報および表示制御のためのメタ情報が挿入されてもよい。例えば、システムエンコーダ１０５は、プログラム・マップ・テーブル（ＰＭＴ）の配下に、新規定義する、ビデオ・ダイナミックレンジ・デスクリプタ（Video Dynamic Range descriptor）を挿入する。静的な運用で十分な場合には、これで充分である。
【００４９】
あるいは、番組単位でＨＤＲ光電変換の特性を示すメタ情報および表示制御のためのメタ情報がわかれば充分な場合、ビデオ・ダイナミックレンジ・デスクリプタを、イベント・インフォメーション・テーブル（ＥＩＴ）の配下に挿入することも考えられる。
【００５０】
図８は、ビデオ・ダイナミックレンジ・デスクリプタの構造例(Syntax)を示している。「descriptor_tag」の８ビットフィールドは、デスクリプタタイプを示す。ここでは、ビデオ・ダイナミックレンジ・デスクリプタであることを示す。「descriptor_length」の８ビットフィールドは、デスクリプタの長さ（サイズ）を示し、デスクリプタの長さとして、以降のバイト数を示す。なお、詳細説明は省略するが、このビデオ・ダイナミック・レンジ・デスクリプタの内容は、上述のダイナミックレンジ・ＳＥＩメッセージの内容と同じである。
【００５１】
[トランスポートストリームＴＳの構成]
図９は、トランスポートストリームＴＳの構成例を示している。この構成例では、ＰＩＤ１で識別されるビデオストリームのＰＥＳパケット「video PES1」が存在する。アクセスユニットのＳＰＳのＶＵＩの領域に、ＳＤＲ光電変換の特性(ガンマ特性)を示すメタ情報「Transfer characteristics 1」が挿入される。また、アクセスユニットに、ＨＤＲ光電変換の特性を示すメタ情報「Transfer characteristics 2」および表示制御のためのメタ情報「peak level, threshold level」が記述されたダイナミックレンジ・ＳＥＩメッセージが挿入される。
【００５２】
また、トランスポートストリームＴＳには、ＰＳＩ（Program Specific Information）として、ＰＭＴ（Program Map Table）が含まれている。ＰＳＩは、トランスポートストリームに含まれる各エレメンタリストリームがどのプログラムに属しているかを記した情報である。ＰＭＴには、プログラム全体に関連する情報を記述するプログラム・ループ（Program loop）が存在する。
【００５３】
ＰＭＴには、各エレメンタリストリームに関連した情報を持つエレメンタリストリーム・ループが存在する。この構成例では、ビデオストリームに対応したビデオエレメンタリストリーム・ループ（video ES loop）が存在する。ビデオエレメンタリストリーム・ループ（video ES loop）には、ビデオストリームに対応して、ストリームタイプ、ＰＩＤ（パケット識別子）等の情報が配置されると共に、そのビデオストリームに関連する情報を記述するデスクリプタも配置される。
【００５４】
このビデオストリームの「Stream_type」の値は、例えばＨＥＶＣビデオストリームを示す値に設定され、ＰＩＤ情報はビデオストリームのＰＥＳパケット「video PES」に付与されるＰＩＤ１を示すものとされる。デスクリプタの一つとして、ＨＤＲ光電変換の特性を示すメタ情報「Transfer characteristics 2」および表示制御のためのメタ情報「peak level, threshold level」が記述されたビデオ・ダイナミック・レンジ・デスクリプタが挿入されることもある。このデスクリプタは、ダイナミックレンジ・ＳＥＩメッセージの代わりに、あるいはダイナミックレンジ・ＳＥＩメッセージと共に、挿入される。
【００５５】
また、トランスポートストリームＴＳには、イベント（番組）単位の管理を行うＳＩ（Serviced Information）としてのＥＩＴ(Event Information Table)が含まれている。このＥＩＴに、ＨＤＲ光電変換の特性を示すメタ情報「Transfer characteristics 2」および表示制御のためのメタ情報「peak level, threshold level」が記述されたビデオ・ダイナミックレンジ・デスクリプタが挿入されることもある。このデスクリプタは、ダイナミックレンジ・ＳＥＩメッセージの代わりに、あるいはダイナミックレンジ・ＳＥＩメッセージと共に、挿入される。
【００５６】
「ＨＤＲ非対応の従来の受信装置の構成例」
図１０は、受信装置２００の構成例を示している。この受信装置２００は、上述したようにＨＤＲ非対応の受信装置である。この受信装置２００は、制御部２０１と、受信部２０２と、システムデコーダ２０３と、ビデオデコーダ２０４と、ＳＤＲ電光変換部２０６と、ＳＤＲ表示マッピング部２０６と、ＣＥモニタ２０７を有している。制御部２０１は、ＣＰＵ（Central Processing Unit）を備えて構成され、制御プログラムに基づいて、受信装置２００の各部の動作を制御する。
【００５７】
受信部２０２は、送信装置１００から放送波あるいはネットのパケットに載せて送られてくるトランスポートストリームＴＳを受信する。システムデコーダ２０３は、このトランスポートストリームＴＳからビデオストリーム（エレメンタリストリーム）ＶＳを抽出する。また、システムデコーダ２０３は、コンテナ（トランスポートストリーム）のレイヤに挿入されている種々の情報を抽出し、制御部２０１に送る。なお、コンテナのレイヤにビデオ・ダイナミックレンジ・デスクリプタが挿入されている場合、受信装置２００がＨＤＲ非対応であることから、当該デスクリプタは読み飛ばされる。
【００５８】
ビデオデコーダ２０４は、システムデコーダ２０３で抽出されるビデオストリームＶＳに対して復号化処理を行って、伝送ビデオデータＶ１を出力する。また、ビデオデコーダ２０４は、ビデオストリームＶＳを構成する各アクセスユニットに挿入されているパラメータセットやＳＥＩメッセージを抽出し、制御部２０１に送る。なお、ビデオストリームのレイヤにダイナミックレンジ・ＳＥＩメッセージが挿入されている場合、受信装置２００がＨＤＲ非対応であることから、当該ＳＥＩメッセージは読み飛ばされる。
【００５９】
制御部２０１は、ＳＰＳのビデオ・ユーザビリティ情報（ＶＵＩ）における、ＳＤＲ光電変換の特性を示すメタ情報「Transfer characteristics 1」に基づいて、ＳＤＲ光電変換特性（ガンマ特性）を認識し、ＳＤＲ電光変換部２０５に、ＳＤＲ光電変換特性とは逆特性のＳＤＲ電光変換特性を設定する。ＳＤＲ電光変換部２０５は、ビデオデコーダ２０４から出力される伝送ビデオデータＶ１に、ＳＤＲ電光変換特性を適用して、ＳＤＲ画像を表示するための表示ビデオデータを得る。
【００６０】
図１２の破線ｂは、ＳＤＲ電光変換特性を示すＳＤＲ ＥＯＴＦカーブである。この図において、横軸は伝送符号値を示し、上述の図３の縦軸に対応している。また、この図において、縦軸は表示輝度レベル（出力輝度レベル）を示し、上述の図３の横軸に対応している。ＳＤＲ電光変換特性において、伝送符号値がピークレベルＭＰであるとき、表示輝度レベルはＳＬとなる。このＳＬは、上述したようにＳＤＲ特性表現限界輝度であり、１００ｃｄ/ｍ２である。
【００６１】
ＳＤＲ表示マッピング部２０６は、ＳＤＲ電光変換部２０５で得られた表示ビデオデータに対して表示輝度調整を行う。すなわち、ＳＤＲ表示マッピング部２０６は、ＣＥモニタ２０７の最大輝度表示能力がＳＬよりも高いＤＰである場合、表示最大輝度レベルがＤＰとなるように表示マッピング処理、つまり輝度変換処理を行う。図１２の一点鎖線ｂ´は、その場合における輝度変換処理の一例を示している。
【００６２】
図１０に示す受信装置２００の動作を簡単に説明する。受信部２０２では、送信装置１００から放送波あるいはネットのパケットに載せて送られてくるトランスポートストリームＴＳが受信される。このトランスポートストリームＴＳは、システムデコーダ２０３に供給される。システムデコーダ２０３では、このトランスポートストリームＴＳからビデオストリームＶＳが抽出される。
【００６３】
また、システムデコーダ２０３では、コンテナのレイヤに挿入されている種々の情報が抽出され、制御部２０１に送られる。なお、コンテナのレイヤにビデオ・ダイナミック・レンジ・デスクリプタが挿入されている場合、受信装置２００がＨＤＲ非対応であることから、当該デスクリプタは読み飛ばされる。
【００６４】
システムデコーダ２０３で抽出されたビデオストリームＶＳは、ビデオデコーダ２０４に供給される。ビデオデコーダ２０４では、システムデコーダ２０３で抽出されるビデオストリームＶＳに対して復号化処理が行われて、伝送ビデオデータＶ１が得られる。
【００６５】
また、ビデオデコーダ２０４では、ビデオストリームＶＳを構成する各アクセスユニットに挿入されているパラメータセットやＳＥＩメッセージが抽出され、制御部２０１に送られる。なお、ビデオストリームのレイヤにダイナミックレンジ・ＳＥＩメッセージが挿入されている場合、受信装置２００がＨＤＲ非対応であることから、当該ＳＥＩメッセージは読み飛ばされる。
【００６６】
制御部２０１では、ＳＰＳのビデオ・ユーザビリティ情報（ＶＵＩ）における、ＳＤＲ光電変換の特性を示すメタ情報「Transfer characteristics 1」に基づいて、ＳＤＲ光電変換特性（ガンマ特性）が認識され、ＳＤＲ電光変換部２０５に、ＳＤＲ光電変換特性とは逆特性のＳＤＲ電光変換特性が設定される。
【００６７】
ビデオデコーダ２０３で得られた伝送ビデオデータＶ１はＳＤＲ電光変換部２０５に供給される。ＳＤＲ電光変換部２０５では、ビデオデコーダ２０４から出力される伝送ビデオデータＶ１に、ＳＤＲ電光変換特性が適用されて、ＳＤＲ画像を表示するための表示ビデオデータが得られる。
【００６８】
ＳＤＲ電光変換部２０５で得られた表示ビデオデータは、ＳＤＲ表示マッピング部２０６に供給される。ＳＤＲ表示マッピング部２０６では、表示ビデオデータに対して表示輝度調整が行われる。すなわち、ＳＤＲ表示マッピング部２０６では、ＣＥモニタ２０７の最大輝度表示能力がＳＬよりも高いＤＰである場合、表示最大輝度レベルがＤＰとなるように表示マッピング処理、つまり輝度変換処理が行われる（図１２の一点鎖線ｂ´参照）。
【００６９】
表示マッピング部２０６の出力ビデオデータは、ＣＥモニタ２０７に供給される。このＣＥモニタ２０７に、表示輝度調整されたＳＤＲ画像が表示される。
【００７０】
「ＨＤＲ対応の受信装置の構成例」
図１１は、受信装置３００の構成例を示している。この受信装置３００は、上述したようにＨＤＲ対応の受信装置である。この受信装置３００は、制御部３０１と、受信部３０２と、システムデコーダ３０３と、ビデオデコーダ３０４と、ＨＤＲ電光変換部３０５と、ＨＤＲ表示マッピング部３０６と、ＣＥモニタ３０７を有している。制御部３０１は、ＣＰＵ（Central Processing Unit）を備えて構成され、制御プログラムに基づいて、受信装置３００の各部の動作を制御する。
【００７１】
受信部３０２は、送信装置１００から放送波あるいはネットのパケットに載せて送られてくるトランスポートストリームＴＳを受信する。システムデコーダ３０３は、このトランスポートストリームＴＳからビデオストリーム（エレメンタリストリーム）ＶＳを抽出する。また、システムデコーダ３０３は、コンテナ（トランスポートストリーム）のレイヤに挿入されている種々の情報を抽出し、制御部３０１に送る。コンテナのレイヤにビデオ・ダイナミックレンジ・デスクリプタが挿入されている場合、受信装置３００がＨＤＲ対応であることから、抽出情報には当該デスクリプタの情報も含まれる。
【００７２】
ビデオデコーダ３０４は、システムデコーダ３０３で抽出されるビデオストリームＶＳに対して復号化処理を行って、伝送ビデオデータＶ１を出力する。また、ビデオデコーダ３０４は、ビデオストリームＶＳを構成する各アクセスユニットに挿入されているパラメータセットやＳＥＩメッセージを抽出し、制御部３０１に送る。なお、ビデオストリームのレイヤにダイナミックレンジ・ＳＥＩメッセージが挿入されている場合、受信装置３００がＨＤＲ対応であることから、当該ＳＥＩメッセージの抽出も行われる。
【００７３】
制御部３０１は、ダイナミックレンジ・ＳＥＩメッセージあるいはビデオ・ダイナミックレンジ・デスクリプタにおけるＨＤＲ光電変換の特性を示すメタ情報「Transfer characteristics 2」に基づいて、ＨＤＲ光電変換特性（新ガンマ特性）を認識し、ＨＤＲ電光変換部３０５に、ＨＤＲ光電変換特性とは逆特性のＨＤＲ電光変換特性を設定する。ＨＤＲ電光変換部３０５は、ビデオデコーダ３０４から出力される伝送ビデオデータＶ１に、ＨＤＲ電光変換特性を適用して、ＨＤＲ画像を表示するための表示ビデオデータを得る。
【００７４】
図１２の実線ａは、ＨＤＲ電光変換特性を示すＨＤＲ ＥＯＴＦカーブである。ＨＤＲ電光変換特性において、伝送符号値がピークレベルＭＰであるとき、表示輝度レベルはＰＬとなる。また、伝送符号値が閾値レベルＣＰであるとき、出力輝度レベルはＨＤＲ表示基準閾値ＣＬとなる。この閾値ＣＬは、上述したように、受信機側のモニタ（ＣＥモニタ）で表示する輝度として一致させる領域とＣＥモニタ依存とする領域との境界を示す。
【００７５】
ビデオストリームのレイヤに挿入されるダイナミックレンジ・ＳＥＩメッセージやコンテナのレイヤに挿入されるビデオ・ダイナミックレンジ・デスクリプタには、ＰＬ、ＣＬの輝度情報が、表示制御のためのメタ情報として含まれている（図６−図８参照）。
【００７６】
ＨＤＲ表示マッピング部３０６は、ＨＤＲ電光変換部３０５で得られた表示ビデオデータに対して、表示制御のためのメタ情報に基づいて、表示輝度調整を行う。すなわち、ＨＤＲ表示マッピング部３０６は、ＣＥモニタ３０７の最大輝度表示能力がＰＬよりも高いＥＰである場合、ＨＤＲ電光変換部３０５の出力輝度レベルのうち、輝度ＣＬを越えるレベルを、表示最大輝度レベルがＥＰとなるように表示マッピング処理、つまり輝度変換処理を行うことも表示機能の一方法として可能となる。図１２の二点鎖線ａ´は、その場合における輝度変換処理の一例を示している。
【００７７】
図１１に示す受信装置３００の動作を簡単に説明する。受信部３０２では、送信装置１００から放送波あるいはネットのパケットに載せて送られてくるトランスポートストリームＴＳが受信される。このトランスポートストリームＴＳは、システムデコーダ３０３に供給される。システムデコーダ３０３では、このトランスポートストリームＴＳからビデオストリームＶＳが抽出される。
【００７８】
また、システムデコーダ３０３では、コンテナのレイヤに挿入されている種々の情報が抽出され、制御部３０１に送られる。なお、コンテナのレイヤにビデオ・ダイナミックレンジ・デスクリプタが挿入されている場合、受信装置３００がＨＤＲ対応であることから、抽出情報には当該デスクリプタの情報も含まれる。
【００７９】
システムデコーダ３０３で抽出されたビデオストリームＶＳは、ビデオデコーダ３０４に供給される。ビデオデコーダ３０４では、システムデコーダ３０３で抽出されるビデオストリームＶＳに対して復号化処理が行われて、伝送ビデオデータＶ１が得られる。
【００８０】
また、ビデオデコーダ３０４では、ビデオストリームＶＳを構成する各アクセスユニットに挿入されているパラメータセットやＳＥＩメッセージが抽出され、制御部３０１に送られる。なお、ビデオストリームのレイヤにダイナミックレンジ・ＳＥＩメッセージが挿入されている場合、受信装置３００がＨＤＲ対応であることから、当該ＳＥＩメッセージの抽出も行われる。
【００８１】
制御部３０１では、ダイナミックレンジ・ＳＥＩメッセージあるいはビデオ・ダイナミックレンジ・デスクリプタにおけるＨＤＲ光電変換の特性を示すメタ情報「Transfer characteristics 2」に基づいて、ＨＤＲ光電変換特性（新ガンマ特性）が認識され、ＨＤＲ電光変換部３０５に、ＨＤＲ光電変換特性とは逆特性のＨＤＲ電光変換特性が設定される。ＨＤＲ電光変換部３０５では、ビデオデコーダ３０４から出力される伝送ビデオデータＶ１に、ＨＤＲ電光変換特性が適用されて、ＨＤＲ画像を表示するための表示ビデオデータが得られる。
【００８２】
ＨＤＲ電光変換部３０５で得られた表示ビデオデータは、ＨＤＲ表示マッピング部３０６に供給される。ＨＤＲ表示マッピング部３０６では、表示ビデオデータに対して、表示制御のためのメタ情報に基づいて、表示輝度調整が行われる。すなわち、ＨＤＲ表示マッピング部３０６では、ＣＥモニタ３０７の最大輝度表示能力がＰＬよりも高いＥＰである場合、ＨＤＲ電光変換部３０５の出力輝度レベルのうち、輝度ＣＬを越えるレベルが、表示最大輝度レベルがＥＰとなるように表示マッピング処理、つまり輝度変換処理が行われる（図１２の二点鎖線ａ´参照）。
【００８３】
表示マッピング部３０６の出力ビデオデータは、ＣＥモニタ３０７に供給される。このＣＥモニタ３０７に、表示輝度調整されたＨＤＲ画像が表示される。
【００８４】
上述したように、図１に示す送受信システム１０において、ビデオストリームのレイヤにＳＤＲ光電変換特性（ガンマ特性）を示すメタ情報が挿入されると共に、少なくともビデオストリームのレイヤまたはコンテナのレイヤにＨＤＲ光電変換特性（新ガンマ特性）を示すメタ情報が挿入されるものである。そのため、ＨＤＲ光電変換特性を用いて得られた伝送ビデオデータＶ１に対する電光変換の処理を従来の受信機およびＨＤＲ対応受信機の双方で良好に行うことができる。
【００８５】
すなわち、従来受信機（受信装置２００）はＳＤＲ光電変換特性を示すメタ情報に基づいて光電変換特性は従来と同様と判断できる。また、ＨＤＲ対応受信機（受信装置３００）はＨＤＲ光電変換特性を示すメタ情報に基づいて光電変換特性はＨＤＲ光電変換特性と判断できる。従って、ＨＤＲ光電変換特性を用いて得られた伝送ビデオデータＶ１に対する電光変換の処理を従来の受信機およびＨＤＲ対応受信機の双方で良好に行うことができる。
【００８６】
また、図１に示す送受信システム１０において、ＨＤＲ光電変換特性を示すメタ情報と共に、表示制御のためのメタ情報が挿入されるものである。そのため、ＨＤＲ対応受信機において、この表示制御のためのメタ情報を用いて表示輝度制御を適切に行うことができる。この場合、表示制御のためのメタ情報には輝度変換を許容する領域を示す領域情報が含まれ、輝度変換を許容する領域でのみ、例えばＣＥモニタ３０７の表示輝度能力に応じた輝度変換が行われるため、制作側が意図する輝度雰囲気を良好に再現することが可能となる。
【００８７】
＜２．変形例＞
なお、上述実施の形態において、受信装置２００，３００では、電光変換部２０５，３０５で電光変換処理を行うと共に、表示マッピング部２０６，３０６でＣＥモニタ２０７，３０７の最大輝度表示能力に応じた輝度変換処理を行う例を示した。しかし、電光変換特性（ＥＯＴＦ）に輝度変換特性を反映させておくことで、電光変換部２０５，３０５のみで電光変換処理と輝度変換処理とを同時に行わせることが可能である。
【００８８】
また、上述実施の形態においては、送信装置１００および受信装置２００，３００により構成される送受信システム１０を示したが、本技術を適用し得る送受信システムの構成は、これに限定されるものではない。例えば、図１３に示す送受信システム１０Ａのように、受信装置２００，３００の部分が、例えば、（ＨＤＭＩ（High-Definition Multimedia Interface）などのデジタルインタフェースで接続されたセットトップボックス（ＳＴＢ）２００Ａ、３００Ａおよびモニタ２００Ｂ，３００Ｂからなる構成であってもよい。なお、「ＨＤＭＩ」は、登録商標である。
【００８９】
この場合、ビデオデコーダ２０４，３０４までがセットトップボックス２００Ａ，３００Ａに含まれ、電光変換部２０５，３０５以降がモニタ２００Ｂ，３００Ｂに含まれる。ＨＤＲ非対応のセットトップボックス２００Ａは、例えば、“Vender Specific Info Frame”のパケットを用いて、ＳＤＲ光電変換の特性（ガンマ特性）を示すメタ情報をモニタ２００Ｂに送る。また、ＨＤＲ対応のセットトップボックス３００Ａは、例えば、“Vender Specific Info Frame”のパケットを用いて、ＨＤＲ光電変換の特性（ガンマ特性）を示すメタ情報および表示制御のためのメタ情報をモニタ３００Ｂに送る。
【００９０】
図１４は、セットトップボックス２００Ａからモニタ２００Ｂに送る“Vender Specific InfoFrame”のパケットの第７バイト以降の構造例を示している。また、図１５は、セットトップボックス３００Ａからモニタ３００Ｂに送る“Vender Specific InfoFrame”のパケットの第７バイト以降の構造例を示している。また、図１６は、各構造例における主要な情報の内容を示している。
【００９１】
最初に、図１４の構造例を説明する。第７バイトの第７ビットから第５ビットには、「Display_control_type」の３ビット情報が配置される。この３ビット情報は、表示タイプの種類を示す。“００１”はＳＤ表示制御を示し、“０１０”はＨＤＲ表示制御を示す。ここでは、“００１”とされる。
【００９２】
第７バイトの第４ビットから第０ビットには、「Display_control_metadata_length」の５ビット情報が配置される。この５ビット情報は、続いて配置される「Display_control_metadata」のサイズをバイト数で示す。ここでは、“２”とされる。
【００９３】
第８バイトには、「Transfer characteristics」の８ビット情報が配置される。この８ビット情報は、光電変換特性を示す。この情報により、表示のための電光変換特性が検知される。“０ｘ０１”はＳＤＲ光電変換特性（ガンマ特性）を示し、“０ｘ１０”はＨＤＲ光電変換特性（新ガンマ特性）を示す。ここでは、“０ｘ０１”とされる。第８＋１バイトには、「Number of bits」の８ビット情報が配置される。この８ビット情報は、符号化画素ビット数を示す。
【００９４】
次に、図１５の構成例を説明する。第７バイトの第７ビットから第５ビットには、「Display_control_type」の３ビット情報が配置される。この３ビット情報は、表示タイプの種類を示す。“００１”はＳＤ表示制御を示し、“０１０”はＨＤＲ表示制御を示す。ここでは、“０１０”とされる。
【００９５】
第７バイトの第４ビットから第０ビットには、「Display_control_metadata_length」の５ビット情報が配置される。この５ビット情報は、続いて配置される「Display_control_metadata」のサイズをバイト数で示す。ここでは、“１２”とされる。
【００９６】
第８バイトには、「Transfer characteristics」の８ビット情報が配置される。この８ビット情報は、光電変換特性を示す。この情報により、表示のための電光変換特性が検知される。“０ｘ０１”はＳＤＲ光電変換特性（ガンマ特性）を示し、“０ｘ１０”はＨＤＲ光電変換特性（新ガンマ特性）を示す。ここでは、“０ｘ１０”とされる。第８＋１バイトには、「Number of bits」の８ビット情報が配置される。この８ビット情報は、符号化画素ビット数を示す。
【００９７】
第８＋２バイトから第８＋３バイトには、「Minimum brightness value」の１６ビット情報が配置される。この１６ビット情報は、最小レベルの輝度（ｃｄ/ｍ２）を示す。第８＋４バイトから第８＋５バイトには、「Peak Level」の１６ビット情報が配置される。この１６ビット情報は、最大レベルの相対値（％）を示す。
【００９８】
第８＋６バイトから第８＋７バイトには、「Peak Level Brightness」の１６ビット情報が配置される。この１６ビット情報は、最大レベルの輝度（ｃｄ/ｍ２）を示す。第８＋８バイトから第８＋９バイトには、「Compliant_threshold_level」の１６ビット情報が配置される。この１６ビット情報は、表示レベルマッピングの際の閾値（％）を示す。第８＋１０バイトから第８＋１１バイトには、「Compliant_threshold_level_value」の１６ビット情報が配置される。この１６ビット情報は、表示レベルマッピングの際の閾値となる輝度（ｃｄ/ｍ２）を示す。
【００９９】
また、上述実施の形態においては、コンテナがトランスポートストリーム（ＭＰＥＧ−２  ＴＳ）である例を示した。しかし、本技術は、トランスポートがＴＳと限定されるものではなく、他のパケット、例えばＩＳＯＢＭＦＦやＭＭＴなどの場合でも、ビデオのレイヤは同一の方法で実現できる。よって、本技術は、インターネット等のネットワークを利用して受信端末に配信される構成のシステムにも同様に適用できる。インターネットの配信では、ＭＰ４やそれ以外のフォーマットのコンテナで配信されることが多い。つまり、コンテナとしては、デジタル放送規格で採用されているトランスポートストリーム（ＭＰＥＧ−２  ＴＳ）、インターネット配信で使用されているＭＰ４などの種々のフォーマットのコンテナが該当する。
【０１００】
また、本技術は、以下のような構成を取ることもできる。
（１）ハイダイナミックレンジビデオデータにハイダイナミックレンジ光電変換を行って伝送ビデオデータを得る光電変換部と、
上記伝送ビデオデータにエンコード処理を施してビデオストリームを得るエンコード部と、
上記ビデオストリームを含む所定フォーマットのコンテナを送信する送信部と、
上記ビデオストリームのレイヤに通常ダイナミックレンジ光電変換の特性を示すメタ情報を挿入すると共に、少なくとも上記ビデオストリームのレイヤまたは上記コンテナのレイヤに上記ハイダイナミックレンジ光電変換の特性を示すメタ情報を挿入する情報挿入部を備える
送信装置。
（２）上記情報挿入部は、
上記ハイダイナミックレンジ光電変換の特性を示すメタ情報と共に、表示制御のためのメタ情報を挿入する
前記（１）に記載の送信装置。
（３）上記表示制御のためのメタ情報は、ピーク輝度情報を含む
前記（２）に記載の送信装置。
（４）上記表示制御のためのメタ情報は、輝度変換を許容する領域を示す領域情報を含む
前記（２）または（３）に記載の送信装置。
（５）上記情報挿入部は、
上記ハイダイナミックレンジ光電変換の特性を示すメタ情報を上記ビデオストリームのレイヤに挿入する場合、
上記通常ダイナミックレンジ光電変換の特性を示すメタ情報を上記ビデオストリーム内の第１の領域に挿入し、上記ハイダイナミックレンジ光電変換の特性を示すメタ情報を上記ビデオストリーム内の上記第１の領域とは異なる第２の領域に挿入する
前記（１）から（４）のいずれかに記載の送信装置。
（６）上記第１の領域はＳＰＳ  ＮＡＬユニットの領域であり、上記第２の領域はＳＥＩ  ＮＡＬユニットの領域である
前記（５）に記載の送信装置。
（７）上記コンテナは、トランスポートストリームであり、
上記情報挿入部は、
上記コンテナのレイヤに上記ハイダイナミックレンジ光電変換の特性を示すメタ情報を挿入する場合、該メタ情報をプログラム・マップ・テーブルの配下に挿入する
前記（１）から（６）のいずれかに記載の送信装置。
（８）上記コンテナは、トランスポートストリームであり、
上記情報挿入部は、
上記コンテナのレイヤに上記ハイダイナミックレンジ光電変換の特性を示すメタ情報を挿入する場合、該メタ情報をイベント・インフォメーション・テーブルの配下に挿入する
前記（１）から（６）のいずれかに記載の送信装置。
（９）ハイダイナミックレンジビデオデータにハイダイナミックレンジ光電変換を行って伝送ビデオデータを得る光電変換ステップと、
上記伝送ビデオデータにエンコード処理を施してビデオストリームを得るエンコードステップと、
送信部により、上記ビデオストリームを含む所定フォーマットのコンテナを送信する送信ステップと、
上記ビデオストリームのレイヤに、通常ダイナミックレンジ光電変換の特性を示すメタ情報を挿入すると共に、少なくとも上記ビデオストリームのレイヤまたは上記コンテナのレイヤに上記ハイダイナミックレンジ光電変換の特性を示すメタ情報を挿入する情報挿入ステップを有する
送信方法。
（１０）伝送ビデオデータが符号化されて得られたビデオストリームを含むコンテナを受信する受信部と、
上記ビデオストリームにデコード処理を施して上記伝送ビデオデータを得るデコード部と、
上記伝送ビデオデータに電光変換を行って表示用ビデオデータを得る電光変換部を備え、
上記電光変換部は、
上記ビデオストリームのレイヤに通常ダイナミックレンジ光電変換の特性を示すメタ情報が挿入されていると共に、少なくとも上記ビデオストリームのレイヤまたは上記コンテナのレイヤに上記ハイダイナミックレンジ光電変換の特性を示すメタ情報が挿入されているとき、上記伝送ビデオデータに、上記ハイダイナミックレンジ光電変換の特性を示すメタ情報に基づいて、該ハイダイナミックレンジ光電変換の特性とは逆特性のハイダイナミックレンジ電光変換を行って上記表示用ビデオデータを得る
受信装置。
（１１）上記表示用ビデオデータに表示輝度調整を行う輝度調整部をさらに備え、
上記輝度調整部は、
上記ハイダイナミックレンジ光電変換の特性を示すメタ情報と共に、表示制御のためのメタ情報が挿入されているとき、上記表示用ビデオデータに、該表示制御のためのメタ情報に基づいて表示輝度調整を行う
前記（１０）に記載の受信装置。
（１２）上記表示制御のためのメタ情報は輝度変換を許容する領域を示す領域情報を含み、
上記輝度調整部は、
上記輝度変換を許容する領域で上記表示輝度調整を行う
前記（１１）に記載の受信装置。
（１３）受信部により、伝送ビデオデータが符号化されて得られたビデオストリームを含むコンテナを受信する受信ステップと、
上記ビデオストリームにデコード処理を施して上記伝送ビデオデータを得るデコードステップと、
上記伝送ビデオデータに電光変換を行って表示用ビデオデータを得る電光変換ステップを有し、
上記電光変換ステップでは、
上記ビデオストリームのレイヤに通常ダイナミックレンジ光電変換の特性を示すメタ情報が挿入されていると共に、少なくとも上記ビデオストリームのレイヤまたは上記コンテナのレイヤに上記ハイダイナミックレンジ光電変換の特性を示すメタ情報が挿入されているとき、上記伝送ビデオデータに、上記ハイダイナミックレンジ光電変換の特性を示すメタ情報に基づいて、該ハイダイナミックレンジ光電変換の特性とは逆特性のハイダイナミックレンジ電光変換を行って上記表示用ビデオデータを得る
受信方法。
【０１０１】
本技術の主な特徴は、ビデオストリームのレイヤにＳＤＲ光電変換特性（ガンマ特性）を示すメタ情報を挿入すると共に、少なくともビデオストリームのレイヤまたはコンテナのレイヤにＨＤＲ光電変換特性（新ガンマ特性）を示すメタ情報を挿入することで、ＨＤＲ光電変換特性を用いて得られた伝送ビデオデータに対する電光変換の処理を従来の受信機およびＨＤＲ対応受信機の双方で良好に行い得るようにしたことである（図９参照）。
【符号の説明】
【０１０２】
１０，１０Ａ・・・送受信システム
１００・・・送信装置
１０１・・・制御部
１０２・・・ＨＤＲカメラ
１０３・・・ＨＤＲ光電変換部
１０３ａ・・・マスターモニタ
１０４・・・ビデオエンコーダ
１０５・・・システムエンコーダ
１０６・・・送信部
２００，３００・・・受信装置
２００Ａ，３００Ａ・・・セットトップボックス
２００Ｂ，３００Ｂ・・・モニタ
２０１，３０１・・・制御部
２０２，３０２・・・受信部
２０３，３０３・・・システムデコーダ
２０４，３０４・・・ビデオデコーダ
２０５・・・ＳＤＲ電光変換部
２０６・・・ＳＤＲ表示マッピング部
２０７，３０７・・・ＣＥモニタ
３０５・・・ＨＤＲ電光変換部
３０６・・・ＨＤＲ表示マッピング部
【図１】
0006614156.tif 000002
【図２】
0006614156.tif 000003
【図３】
0006614156.tif 000004
【図４】
0006614156.tif 000005
【図５】
0006614156.tif 000006
【図６】
0006614156.tif 000007
【図７】
0006614156.tif 000008
【図８】
0006614156.tif 000009
【図９】
0006614156.tif 000010
【図１０】
0006614156.tif 000011
【図１１】
0006614156.tif 000012
【図１２】
0006614156.tif 000013
【図１３】
0006614156.tif 000014
【図１４】
0006614156.tif 000015
【図１５】
0006614156.tif 000016
【図１６】
0006614156.tif 000017